(57)【要約】【課題】外部記憶媒体の抜き出しに起因するデータ欠落を防止できるデータ記録装置を実現すること。【解決手段】装置本体に記録されているデータを着脱可能な外部記憶媒体に転送格納するように構成されたデータ記録装置において、外部記憶媒体へのデータ転送格納を実行するタイミングの所定時間前から予告期間として予告表示する表示手段を設けたことを特徴とするもの。【選択図】図１
2008107174.tif 000002
【特許請求の範囲】
【請求項１】
装置本体に記録されているデータを着脱可能な外部記憶媒体に転送格納するように構成されたデータ記録装置において、
外部記憶媒体へのデータ転送格納を実行するタイミングの所定時間前から予告期間として予告表示する表示手段を設けたことを特徴とするデータ記録装置。
【請求項２】
前記表示手段は、外部記憶媒体へのデータ転送格納を実行するアクセス期間を予告期間とは異なる表示形態で表示することを特徴とする請求項１記載のデータ記録装置。
【請求項３】
前記表示手段は、装置本体の動作状態を予告期間およびアクセス期間とは異なる表示形態で表示することを特徴とする請求項１または請求項２記載のデータ記録装置。
【請求項４】
前記表示手段は、小数点付セグメント表示素子であることを特徴とする請求項１から請求項３のいずれかに記載のデータ記録装置。
【発明の詳細な説明】
【技術分野】
【０００１】
本発明はデータ記録装置に関し、詳しくは、装置本体に記録されているデータを着脱可能な外部記憶媒体に転送格納するように構成されたデータ記録装置における操作予告機能に関するものである。
【背景技術】
【０００２】
産業機器の動作測定、環境測定、気象観測、各種実験など、多数の測定点の測定データを比較的長時間にわたって記録するのにあたっては、データ記録装置が用いられている。
【０００３】
図４はこのようなデータ記録装置の一例を示すブロック図である。入力部１には、図示しないセンサで測定された圧力・回転数・振動数・周波数・温度・湿度・雨量・風速などの各種物理量の測定データが入力される。測定データは、センサの構成に応じて、デジタル信号やアナログ信号として入力される。アナログ信号として測定データがアナログ信号として入力される場合には入力部１にＡ/Ｄ変換器を設けてデジタル信号に変換する。
【０００４】
デジタル信号に変換された測定データは、装置本体内部に設けられているデータ格納部２に設定された測定周期で一旦格納される。測定周期は、例えば１０チャンネルの測定データを取り込む場合には最速１０ｍｓに設定でき、６０チャンネルの測定データを取り込む場合には最速１００ｍｓに設定できる。１データあたりのデータ長は４バイト、測定データに基づく演算データのデータ長は６バイトに設定されている。データ転送制御部３は、データ格納部２に格納される測定データが一杯になる前に、外部記憶媒体インタフェース４に着脱可能に装着されている例えば半導体メモリカードなどの書換え可能な外部記憶媒体５にデータを転送格納するように制御する。データ格納部２としては、例えばリングバッファとして構成されＦＩＦＯ形式でデータ格納を行うメモリを用いる。
【０００５】
ところで作業者は、測定現場に設置されているデータ記録装置の測定データを測定室などに持ち帰ってパソコンにより解析処理する場合など、必要に応じて外部記憶媒体インタフェース４に対して外部記憶媒体５を着脱することがある。外部記憶媒体５にデータを転送格納しているアクセス状態で作業者が外部記憶媒体５を抜き出してしまうと、測定データが欠落したり、外部記憶媒体５を破損してしまうことがあるが、データ格納部２から外部記憶媒体５へのデータ転送格納を実行するタイミングは、データ数に応じてデータ転送制御部３が判断するため、作業者が知ることはできない。
【０００６】
そこで、表示部６は、外部記憶媒体５に対してデータの転送格納を実行している状態では、外部記憶媒体５がアクセス中であることを作業者に確実に通知認識させるための表示を行い、外部記憶媒体５がアクセス中における作業者による外部記憶媒体５の着脱交換などを避けるようにしている。
【０００７】
操作部７は、測定チャンネルの指定や測定データの収集周期設定など、データ記録装置における各種の動作条件設定を行う。
【０００８】
演算制御部８は、データ記録装置を構成する各部を統括制御する。
【０００９】
図５は、従来のデータ記録装置の動作説明図である。(Ａ）はデータ格納部２から外部記憶媒体５へのデータ転送の時間関係を示し、(Ｂ）はデータ転送に同期した表示器の表示動作を示している。データ転送のアクセスタイミングは、データ転送制御部３がデータ格納部２に格納されているデータ量に基づいて決定する。例えばデータ格納部２の記憶容量を５メガバイトとすると、格納されているデータが２メガバイトを超えると外部記憶媒体５へのデータ転送を指令する。ハッチングで示す期間はデータ格納部２から外部記憶媒体５へデータ転送を行うためのアクセス期間であり、この期間は外部記憶媒体５の着脱交換などを避けなければならない。
【００１０】
そこで、表示器は、作業者が視覚的に非アクセス期間とアクセス期間とを確実に識別できるように、非アクセス期間では(Ｃ）に示すような「状態表示」を行い、アクセス期間では(Ｄ）に示すような「動作表示」を行う。表示部６が多桁の文字記号情報をドット表示できるＬＣＤなどの平面表示素子であれば多種多様な表示形態で作業者に注意を促すことができるが、設置現場での表示機能を重視しない場合には図５に示すように小数点付７セグメント表示素子２桁で済ませている装置もある。(Ｃ）の「状態表示」では番号「００」を表示し、(Ｄ）の「動作表示」では７セグメント表示素子２桁の表示パターンを４パターンに切り替えられるように設定して、表示パターンをアニメーション的に回転させる。
【００１１】
特許文献１には、データ記録装置の具体例が開示されているが、本発明のような外部記憶媒体の着脱を安全に行うことについての記載はない。
【特許文献１】特開２００４−０２８５８３号公報
【発明の開示】
【発明が解決しようとする課題】
【００１２】
しかし、このような従来の構成によれば、作業者が外部記憶媒体５の交換を行うのにあたり、表示部６の表示内容から、外部記憶媒体５にデータ転送中だから抜き出しはできないということは把握できるものの、どの時点で抜き出せばよいのか、そのタイミングが図り難いという問題がある。データ収集中の外部記憶媒体５の交換が許容されている場合において、外部記憶媒体５を抜いた直後にデータ転送のアクセスタイミングが到来すると、データ転送制御部３は外部記憶媒体５の有無に関係なくデータ格納部２に格納されていたデータを強制的に転送することから、データ欠損を生じてしまう。
【００１３】
本発明は、このような問題点を解決するものであり、外部記憶媒体の抜き出しに起因するデータ欠落を防止できるデータ記録装置を実現することを目的とする。
【課題を解決するための手段】
【００１４】
上記課題を解決する請求項１に記載の発明は、装置本体に記録されているデータを着脱可能な外部記憶媒体に転送格納するように構成されたデータ記録装置において、
外部記憶媒体へのデータ転送格納を実行するタイミングの所定時間前から予告期間として予告表示する表示手段を設けたことを特徴とする。
【００１５】
請求項２に記載の発明は、請求項１記載のデータ記録装置において、前記表示手段は、外部記憶媒体へのデータ転送格納を実行するアクセス期間を予告期間とは異なる表示形態で表示することを特徴とする。
【００１６】
請求項３に記載の発明は、請求項１または請求項２記載のデータ記録装置において、前記表示手段は、装置本体の動作状態を予告期間およびアクセス期間とは異なる表示形態で表示することを特徴とする。
【００１７】
請求項４に記載の発明は、請求項１から請求項３のいずれかに記載のデータ記録装置において、前記表示手段は、小数点付セグメント表示素子であることを特徴とする。
【発明の効果】
【００１８】
本発明のデータ記録装置によれば、表示手段の予告期間表示形態からデータ転送のためのアクセス期間がまもなく始まることを視覚的に把握確認できるので、外部記憶媒体を抜き出そうとしている場合には取りやめて、外部記憶媒体を抜き出している場合には直ちに挿入すればよく、外部記憶媒体の抜き出しに起因するデータ欠落を防止できる。
【発明を実施するための最良の形態】
【００１９】
以下、図面を参照して、本発明の実施形態について説明する。
本発明のデータ記録装置の基本構成は従来例のブロック図と同様であるが、本発明のデータ記録装置におけるデータ転送制御部３は図１に示すように構成されている。図１において、本発明のデータ転送制御部３は、データ格納部２に格納されているデータ量を確認する格納データ確認部３１と、遅延回路３２を介して入力される格納データ確認部３１の確認結果信号に応じてデータ格納部２から外部記憶媒体５へのデータ転送を指示するデータ転送指示部３３と、格納データ確認部３１の確認結果信号に応じて表示内容格納部３４から所定の表示内容を選択する表示内容選択部３５とで構成されている。
【００２０】
格納データ確認部３１は、例えばデータ格納部２の記憶容量を５メガバイトとすると、従来と同様に格納されているデータが２メガバイトを超えると外部記憶媒体５へのデータ転送を指令するとともに、さらに本発明では、データ転送動作の推移に応じて表示部６を構成する表示器が所定の表示を行うように表示内容選択を指示する。
【００２１】
格納データ確認部３１の確認結果信号は遅延回路３２を介してデータ転送指示部３３に入力されるとともに、遅延回路３２を介することなく表示内容選択部３５に入力される。遅延回路３２の設定遅延時間は、外部記憶媒体５の着脱に必要な時間であって、例えば１０秒程度とする。なお、データ転送指示部３３が格納データ確認部３１の確認結果信号を受けてデータ転送指示信号をデータ格納部２に出力するまでの時間が実質的に１０秒になるように構成されているならば、遅延回路３２は不要になる。
【００２２】
表示内容選択部３５は、格納データ確認部３１の確認結果信号を受けると、タイマーを起動させるとともに、表示内容格納部３４に表示内容として「予告表示１」または「予告表示２」を選択出力するための表示内容選択信号を出力する。なお、表示内容格納部３４は、データ転送を行っていない期間は、表示内容として機器番号やステータス等を表示する「状態表示」を出力している。
【００２３】
タイマーが遅延回路３２の設定遅延時間１０秒をカウントすると、データ転送アクセス期間に移行したものと判断し、表示内容として「予告表示１」または「予告表示２」から「動作表示」を出力する。そして、タイマーがデータ転送処理に必要な所定のアクセス期間(例えば１０秒)をカウントすると、データ転送処理が完了したものと判断し、表示内容として再び「状態表示」を出力する。
【００２４】
図２は図１の構成の動作説明図であり、表示部６が図５と同様な小数点付７セグメント表示素子２桁で構成されている例を示している。(Ａ）はデータ格納部２から外部記憶媒体５へのデータ転送の時間関係を示し、(Ｂ）はデータ転送に同期した表示器の表示動作を示している。データ転送のアクセスタイミングは、データ転送制御部３がデータ格納部２に格納されているデータ量に基づいて決定される。例えばデータ格納部２の記憶容量を５メガバイトとすると、格納されているデータが２メガバイトを超えると外部記憶媒体５へのデータ転送を指令する。ハッチングで示す期間はデータ格納部２から外部記憶媒体５へデータ転送を行うためのアクセス期間であり、この期間は外部記憶媒体５の着脱交換などを避けなければならない。アクセスタイミングに先行するドットで示す期間は予告期間であり、前述のようにデータ転送指示部３３が格納データ確認部３１の確認結果信号を受けてデータ転送指示信号をデータ格納部２に出力するまでの時間に基づき設定される。本実施例では１０秒としている。
【００２５】
本実施例の表示器は、作業者が視覚的に非アクセス期間と予告期間とアクセス期間の３つの期間を確実に識別できるように、非アクセス期間では(Ｃ）に示すような「状態表示」を行い、アクセス期間では(Ｄ）に示すような「動作表示」を行い、アクセス期間に先行する予告期間では(Ｅ）に示すような「予告表示１」または(Ｆ）に示すような「予告表示２」を行う。
【００２６】
(Ｃ）の「状態表示」では番号「００」を表示し、(Ｄ）の「動作表示」では７セグメント表示素子２桁の表示パターンを４パターンに切り替えられるように設定して、表示パターンをアニメーション的に回転させる。
【００２７】
(Ｅ）の「予告表示１」では小数点を例えば５００ｍｓ周期で点滅させて、点滅と時間経過が連想し易いよう表示する。(Ｆ）の「予告表示２」では予告期間を例えば１０秒から１秒ずつカウントダウンさせるが、その動作の視認性を高めるために、数値表示５００ｍｓの後に５００ｍｓの消灯時間を挿入して次の数値表示へと移行する。これらの予告表示は、「状態表示」への影響を極力避けた表示形態になっている。
【００２８】
このようにアクセス期間に先行する予告期間を非アクセス期間およびアクセス期間とは異なる表示形態で表示することにより、作業者はデータ転送のためのアクセス期間がまもなく始まることを視覚的に把握確認できるので、外部記憶媒体を抜き出そうとしている場合には取りやめて、外部記憶媒体を抜き出している場合には直ちに挿入すればよく、外部記憶媒体の抜き出しに起因するデータ欠落を防止できる。
【００２９】
本発明のデータ記録装置でのデータ収集を単一周期で行う場合には、外部記憶媒体にデータ転送をするためのアクセスタイミングも周期性を持つことになり、アクセスタイミングを予想し易いことから予告表示の効用は少ないともいえる。しかしながら、周期性がないときや、周期性が崩れたときには予告表示は有効に機能することになる。
【００３０】
本発明のデータ記録装置は、データ収集を複数の周期（マルチインターバルと称す）で行うこともできる。図３はこのようなマルチインターバル駆動の動作説明図であり、周期Ａと周期Ｂの２系統で駆動する例を示している。マルチインターバル駆動では、データ格納部２にそれぞれの周期系統別にデータ格納を行うので、外部記憶媒体４へのデータ転送もそれぞれの周期系統別に実行される。この結果、外部記憶媒体４へのアクセスは不定期かつ不規則に行われることになり、図３に示すようにアクセスタイミングが不等間隔になっている。このような場合にも、本発明の予告表示は有効に機能する。
【００３１】
具体的には、予告表示期間が十分にとれる予告期間Ａ1、Ａ２、Ａ３は予告表示１の小数点の点滅での予告表示を行い、予告表示期間が不十分で外部記憶媒体４へのアクセスタイミングがひっ迫している予告期間Ｂ１は予告表示２のカウントダウンでの予告表示を行うことにより、作業者に対して直近のアクセスタイミングまでの外部記憶媒体４を着脱するための作業可能時間を的確に伝達できる。
【００３２】
以上説明したように、本発明によれば、外部記憶媒体の抜き出しに起因するデータ欠落を防止できるデータ記録装置が実現できる。
【図面の簡単な説明】
【００３３】
【図１】本発明のデータ記録装置におけるデータ転送制御部３の実施例を示すブロック図である。
【図２】図１の構成の動作説明図である。
【図３】マルチインターバル駆動の動作説明図である。
【図４】従来のデータ記録装置の一例を示すブロック図である。
【図５】従来のデータ記録装置の動作説明図である。
【符号の説明】
【００３４】
３  データ転送制御部
３１  格納データ確認部
３２  遅延回路
３３  データ転送指示部
３４  表示内容格納部
３５  表示内容選択部路
【図１】
2008107174.tif 000003
【図２】
2008107174.tif 000004
【図３】
2008107174.tif 000005
【図４】
2008107174.tif 000006
【図５】
2008107174.tif 000007